(57)【特許請求の範囲】
【請求項１】
装置本体にヒンジを介して開閉可能に支持された原稿カバーを備えると共に、前記原稿カバーには自動給紙機構が設けられ、閉じた状態の前記原稿カバーにより覆われる原稿ガラス上に載置された原稿、または、前記自動給紙機構により送られる原稿の画像を読み取る画像読取装置において、
前記装置本体と前記原稿カバーとの一方に位置決めピンを設け、他方に前記原稿カバーを閉じた際に前記位置決めピンが嵌合するピン孔を設けると共に、前記位置決めピンと前記ピン孔とを２組設け、かつ、２組の前記位置決めピンと前記ピン孔とは前記自動給紙機構の搬送ローラの軸方向の両外側に設け、
前記ヒンジが前記原稿カバーを前記原稿ガラスと直交方向に移動可能に支持したことを特徴とする画像読取装置。
【請求項２】
２組の前記位置決めピンと前記ピン孔とのうち、前記ヒンジの近傍の前記ピン孔が丸孔で、前記ヒンジと反対側で、前記自動給紙機構の搬送ローラの軸方向の外側に設けた前記ピン孔が長孔であることを特徴とする請求項１に記載の画像読取装置。
【発明の詳細な説明】
【技術分野】
【０００１】
本発明は、開閉可能な原稿カバーを備え、原稿カバーにより原稿ガラスを覆い、原稿ガラスを通して原稿から画像を読み取る画像読取装置に関する。
【背景技術】
【０００２】
従来より、複写機やファクシミリ装置、複合機等に画像読取装置が組み込まれており、あるいは、単独の装置として構成された画像読取装置も知られている。このような、画像読取装置では、原稿ガラス上に原稿を載置し、イメージセンサにより原稿ガラスを通して原稿から画像を読み取っている。その際、開閉可能な原稿カバーにより原稿ガラスを覆って、読取中に原稿がずれるのを防止したり、また、遮光を図るようにしている。
【０００３】
この原稿カバーを開閉可能に支持するために、特許文献１にあるように、原稿カバーを装置本体に枢支軸を中心に回転可能に支持している。
【特許文献１】特開２００５−１２５５３３号公報
【発明の開示】
【発明が解決しようとする課題】
【０００４】
しかしながら、こうした従来のものでは、枢支軸の廻りに原稿カバーを回転可能に支持するために、枢支軸と原稿カバーとの間、あるいは、枢支軸と装置本体との間に隙間が生じる。そのため、装置本体と原稿カバーとの間にはガタが生じ、原稿カバーが動いてしまうという問題があった。
【０００５】
このため、装置本体と原稿カバーとの位置関係がずれて、外観が損なわれ、デザイン上好ましくなく、また、原稿カバーに自動給紙機構が設けられたものでは、原稿が斜めに送られて、画像を斜めに読み取ったり、原稿の搬送不良が発生する場合もあるという問題があった。
【０００６】
本発明の課題は、装置本体と原稿カバーとのずれを防止した画像読取装置を提供することにある。
【課題を解決するための手段】
【０００７】
かかる課題を達成すべく、本発明は課題を解決するため次の手段を取った。
【０００８】
即ち、装置本体にヒンジを介して開閉可能に支持された原稿カバーを備えると共に、前記原稿カバーには自動給紙機構が設けられ、閉じた状態の前記原稿カバーにより覆われる原稿ガラス上に載置された原稿、または、前記自動給紙機構により送られる原稿の画像を読み取る画像読取装置において、前記装置本体と前記原稿カバーとの一方に位置決めピンを設け、他方に前記原稿カバーを閉じた際に前記位置決めピンが嵌合するピン孔を設けると共に、前記位置決めピンと前記ピン孔とを２組設け、かつ、２組の前記位置決めピンと前記ピン孔とは前記自動給紙機構の搬送ローラの軸方向の両外側に設け、前記ヒンジが前記原稿カバーを前記原稿ガラスと直交方向に移動可能に支持したことを特徴とする画像読取装置がそれである。
【０００９】
また、２組の前記位置決めピンと前記ピン孔とのうち、前記ヒンジの近傍の前記ピン孔が丸孔で、前記ヒンジと反対側で、前記自動給紙機構の搬送ローラの軸方向の外側に設けた前記ピン孔が長孔であってもよい。
【発明の効果】
【００１０】
本発明の画像読取装置は、原稿カバーに自動給紙機構が設けられ、ヒンジが原稿カバーを原稿ガラスと直交方向に移動可能に支持しているので、位置決めピンとピン孔とを搬送ローラの軸方向の両外側に２組設けることにより、ヒンジのガタが大きくなっても、ヒンジに関係なく、搬送ローラの位置決めが行われ、自動給紙機構による原稿の搬送が正確に行われ、原稿の斜行を防止できる。また、原稿カバーを閉じた際、ヒンジに関係なく、原稿カバーと装置本体とが位置決めされる。よって、原稿カバーがずれることにより、外観が損なわれることがなく、デザイン上好ましいという効果を奏する。
【００１１】
また、ピン孔の一方を長孔とすることにより、製造が容易となる。
【発明を実施するための最良の形態】
【００１２】
以下本発明を実施するための最良の形態を図面に基づいて詳細に説明する。
図１は、本実施形態の画像読取装置１２を用いた複合機１の外観を表す斜視図であり、図２は、その側断面図である。なお、以下の説明においては、複合機１の通常使用状態（図１の状態）を基準として上下方向を表現し、後述する操作パネル部１４の設けられている側を手前側（前）として前後方向を表現し、複合機１を手前側（正面）から見て左右方向を表現する。
【００１３】
この複合機１は、プリンタ機能、画像読取機能、カラーコピー機能、ファクシミリ機能等を有したものであり、図１及び図２に示すように、合成樹脂製のハウジング２の上部に、原稿の読み取りに用いられる画像読取装置１２が設けられている。
【００１４】
画像読取装置１２は、複合機１のハウジング２に取り付けられている。また、この画像読取装置１２の上面を覆う原稿カバー１３が、その後端を中心に画像読取装置１２に対して開閉可能な状態で設けられている。
【００１５】
そして、図２に示すように、画像読取装置１２の上面には、原稿カバー１３を上方へ開いた状態で読み取り用の原稿を載置するための原稿ガラス１６が設けられている。また、その下側には、原稿読み取り用の密着型イメージセンサ（ＣＩＳ：Ｃｏｎｔａｃｔ Ｉｍａｇｅ Ｓｅｎｓｏｒ）１７が図２の紙面と直交する方向（主走査方向、左右方向）に延びるガイドシャフト３８に沿って往復移動可能に設けられている。
【００１６】
さらに、図１及び図２に示すように、画像読取装置１２の前方には、入力操作を行うための操作ボタン群１４ａや各種情報を表示するための液晶表示部（ＬＣＤ）１４ｂを備えた操作パネル部１４が設けられている。
【００１７】
一方、ハウジング２の底部には、被記録媒体としての記録紙Ｐを給紙するための給紙部１１が設けられている。この給紙部１１には、記録紙Ｐを積載（堆積）した状態で収容する給紙カセット３が、ハウジング２の前側に形成された開口部２ａを介して、ハウジング２に対し前後方向に着脱可能に設けられている。本実施形態において、給紙カセット３は、Ａ４サイズ、レターサイズ、リーガルサイズ、はがきサイズ等の記録紙Ｐをその短辺（幅）が給紙方向（副走査方向、前後方向、矢印Ａ方向）と直交する方向（主走査方向、左右方向）に延びる向きで複数枚積載して収容可能に構成されている。
【００１８】
そして、図２に示すように、給紙カセット３の奥側（後端部側）には、記録紙分離用の傾斜分離板８が配置されている。この傾斜分離板８は、記録紙Ｐの幅方向（左右方向）中央部において突出し、記録紙Ｐの幅方向左右両端部側へ向かうに従って後退するように平面視で凸湾曲状に形成されており、記録紙Ｐの幅方向中央部には、記録紙Ｐの先端縁に当接して分離を促進するための鋸歯状の弾性分離パッドが設けられている。
【００１９】
また、給紙部１１において、ハウジング２側には、給紙カセット３から記録紙Ｐを給紙するための給紙アーム６ａの基端部が上下方向に回動可能に装着され、この給紙アーム６ａの先端部に設けられた給紙ローラ６ｂには、給紙アーム６ａ内に設けられた歯車伝達機構６ｃにより、図示しない搬送モータからの回転駆動力が伝達される。そして、この給紙ローラ６ｂと前述した傾斜分離板８の弾性分離パッドとにより、給紙カセット３に積載された記録紙Ｐを１枚ずつ分離搬送する。
【００２０】
こうして給紙方向（矢印Ａ方向）に沿って進むように分離された記録紙Ｐは、第１搬送路体３０と第２搬送路体３２との間隙に形成された横向きＵ字形状のパスを含む給送路９を介して、給紙カセット３の上方に設けられた記録部７に給送される。
【００２１】
記録部７は、上向き開放の箱状に形成されたメインフレーム２１と、下面からインクを吐出することで記録紙Ｐに画像を記録するインクジェット式の記録ヘッド４と、この記録ヘッド４が搭載されたキャリッジ５とを備えている。記録部７において、キャリッジ５における記録ヘッド４の下面には、左右方向に延びる扁平状であって、記録ヘッド４と対向するように記録紙Ｐを下方から支持するプラテン２６が、メインフレーム２１に固定されている。
【００２２】
そして、図２に示すように、プラテン２６の排紙方向（矢印Ｂ方向）上流側には、記録紙Ｐをプラテン２６の上面（記録ヘッド４の下面）に搬送するための搬送（レジスト）ローラとして、駆動ローラ３４と、この駆動ローラ３４に下方から対向するニップローラ３６とが配置されている。また、プラテン２６の排紙方向（矢印Ｂ方向）下流側には、記録部７を経た記録紙Ｐを排紙方向に沿って排紙部１０に搬送するように駆動される排紙ローラ２８と、これに対向して排紙ローラ２８側に付勢された拍車ローラ（図示せず）とが配置されている。
【００２３】
一方、記録部７にて画像が記録された記録紙Ｐがその記録面を上向きにして排出される排紙部１０は、給紙部１１の上方に配置され、排紙口１０ａがハウジング２の前面の開口部２ａと共通にして開口されている。そして、排紙部１０から排紙方向（矢印Ｂ方向）に排出された記録紙Ｐは、開口部２ａの内部側に位置する排紙トレイ１０ｂ上に積載収容される。
【００２４】
図３は本実施形態の複合機１から取り外した画像読取装置１２の外観を表す斜視図であり、図４は原稿カバー１３を開いた状態の画像読取装置１２の外観を表す斜視図である。図５は本実施形態の画像読取装置１２の要部分解斜視図である。
【００２５】
図３、図４に示すように、画像読取装置１２は樹脂にて矩形ボックス状に成形された装置本体４２を備え、装置本体４２の上面開口部は前述した水平な原稿ガラス１６によって覆われている。そして、原稿ガラス１６上には、読み込むべき原稿が載置されるが、原稿ガラス１６の原稿載置領域はほぼ長方形に形成され、原稿カバー１３の裏面には、原稿読取時に原稿ガラス１６の原稿載置領域を覆う矩形の原稿押さえスポンジ４４が接着によって取り付けられている。尚、図示しないが、原稿押さえスポンジ４４の表面には白色の樹脂フィルムが被着されている。
【００２６】
図４、図５に示すように、原稿カバー１３と装置本体４２との後側には左右一対のヒンジ４６，４８が設けられており、一対のヒンジ４６，４８は、それぞれ摺動部４６ａ，４８ａと開閉支持部４６ｂ，４８ｂとを備えている。
【００２７】
図６は本実施形態の左側のヒンジ４６を含む原稿カバー１３と装置本体４２との部分拡大断面図であり、図７は本実施形態の右側のヒンジ４８を含む原稿カバー１３と装置本体４２との部分拡大断面図である。
【００２８】
摺動部４６ａ，４８ａは四角柱状に形成されており、図６、図７に示すように、装置本体４２に形成された断面形状が長方形状の左右一対の摺動孔５０，５２にそれぞれ摺動可能に挿入されている。摺動部４６ａ，４８ａが摺動孔５０，５２内を摺動できるように、摺動部４６ａ，４８ａが摺動孔５０，５２よりも少し小さく形成されている。
【００２９】
摺動部４６ａ，４８ａの先端には、摺動部４６ａ，４８ａの軸方向に切欠が形成されて、弾性変形可能なフック部４６ｃ，４８ｃが形成されている。フック部４６ｃ，４８ｃは、摺動孔５０，５２よりも径方向外側に突き出されており、摺動部４６ａ，４８ａを摺動孔５０，５２に挿入する際には、フック部４６ｃ，４８ｃを径方向内側に弾性変形させて、摺動部４６ａ，４８ａを摺動孔５０，５２に挿入する。
【００３０】
一対の摺動孔５０，５２は、原稿ガラス１６とほぼ直交方向に形成されており、摺動部４６ａ，４８ａは摺動孔５０，５２の軸方向長さよりも長く形成されている。これにより、摺動部４６ａ，４８ａが、摺動孔５０，５２に沿って軸方向（上下方向）に、フック部４６ｃ，４８ｃまたは開閉支持部４６ｂ，４８ｂが、摺動孔５０，５２の端に当接するまでの間で、所定量のストロークで摺動できるように構成されている。
【００３１】
開閉支持部４６ｂ，４８ｂは、断面形状がほぼＣ字状に形成されており、原稿カバー１３の後端側に設けられた一対の軸部１３ａ，１３ｂが開閉支持部４６ｂ，４８ｂに回転可能に嵌着されている。
【００３２】
原稿カバー１３と装置本体４２とには、２組の位置決めピン５４，５６とピン孔５８，６０とが設けられており、１組の位置決めピン５４とピン孔５８とは、左側のヒンジ４６の近傍に設けられ、他方の１組の位置決めピン５６とピン孔６０とは、右側のヒンジ４８の
近傍に設けられている。２組の位置決めピン５４，５６とピン孔５８，６０とは、ヒンジ４６，４８の近傍で、原稿ガラス１６からできるだけ離れた位置に設けるのが好ましく、少なくても２組設ければよい。
【００３３】
図８は図４のＡ部拡大斜視図である。図８に示すように、左側のヒンジ４６の近傍の位置決めピン５４とピン孔５８とは、本実施形態では、位置決めピン５４が装置本体４２に設けられ、ピン孔５８が原稿カバー１３に設けられている。尚、ピン孔５８を装置本体４２に設け、位置決めピン５４を原稿カバー１３に設けてもよい。
【００３４】
位置決めピン５４は、円柱状に形成されており、原稿ガラス１６と直交方向に装置本体４２に立設されている。ピン孔５８は、断面形状が円形に、位置決めピン５４を挿入可能に形成されており、原稿カバー１３により原稿ガラス１６を覆った閉じた状態のときに、位置決めピン５４がピン孔５８に挿入・嵌合されるように形成されている。嵌合した際に、位置決めピン５４とピン孔５８との間のガタはできるだけ小さい方が好ましい。尚、ピン孔５８の開口側はテーパ状に形成されて、位置決めピン５４の挿入時のガイドをするように構成されている。
【００３５】
図９は図４のＢ部拡大斜視図である。図９に示すように、右側のヒンジ４８の近傍の位置決めピン５６とピン孔６０とは、本実施形態では、位置決めピン５６が装置本体４２に設けられ、ピン孔６０が原稿カバー１３に設けられている。尚、ピン孔６０を装置本体４２に設け、位置決めピン５６を原稿カバー１３に設けてもよい。
【００３６】
位置決めピン５６は、他方の位置決めピン５４と同様、円柱状に形成されており、原稿ガラス１６と直交方向に装置本体４２に立設されている。ピン孔６０は、位置決めピン５６を挿入可能に形成されており、原稿カバー１３により原稿ガラス１６を覆った閉じた状態のときに、位置決めピン５６がピン孔６０に挿入・嵌合されるように形成されている。
【００３７】
また、ピン孔６０は、断面形状が長孔（半円の円弧同士を直線で結んだ形状の孔）形状に形成されており、本実施形態では、原稿カバー１３の軸部１３ａ，１３ｂの軸方向（左右方向）に沿って長く形成されている。嵌合した際、位置決めピン５６とピン孔６０との間の前後方向のガタはできるだけ小さくなるように形成される。尚、ピン孔６０の開口側はテーパ状に形成されて、位置決めピン５６の挿入時のガイドをするように構成されている。
【００３８】
次に、前述した本実施形態の画像読取装置１２の作動について、複合機１の作動と共に説明する。
まず、原稿を読み取る際には、原稿カバー１３を軸部１３ａ，１３ｂの廻りに回転させて、図４に示すように、原稿カバー１３を開いた状態にする。そして、原稿ガラス１６上に原稿を載せてから、原稿カバー１３を軸部１３ａ，１３ｂの廻りに回転させて、原稿ガラス１６を原稿カバー１３で覆って、閉じた状態にする。
【００３９】
閉じる際には、原稿カバー１３が軸部１３ａ，１３ｂの廻りに回転して、原稿ガラス１６を原稿カバー１３で覆うと、左側のヒンジ４６の近傍の位置決めピン５４はピン孔５８に挿入・嵌合され、また、右側のヒンジ４８の近傍の位置決めピン５６はピン孔６０に挿入・嵌合される。
【００４０】
左側のヒンジ４６のピン孔５８は、円形の孔であるので、位置決めピン５４がピン孔５８に嵌合されることにより、位置決めピン５４の前後、左右方向の位置が決まる。また、右側のヒンジ４８のピン孔６０は長孔であるので、位置決めピン５６がピン孔６０に嵌合されると、位置決めピン５４を中心とする原稿カバー１３の回転方向の位置が決められて、原稿カバー１３の位置が決められる。原稿カバー１３を開閉する都度に、２組の位置決めピン５４，５６とピン孔５８，６０とにより、原稿カバー１３と装置本体４２とが毎回同じ位置関係で位置決めされる。
【００４１】
よって、装置本体４２と原稿カバー１３との位置関係がずれることがなく、原稿カバー１３がずれることにより、外観が損なわれることがなく、デザイン上も好ましい。また、原稿カバー１３を閉じる際に、原稿ガラス１６上に載置した原稿がずれてしまうのを防止でき、画像が斜めに読み取られてしまうことがない。
【００４２】
即ち、原稿カバー１３の軸部１３ａ，１３ｂとヒンジ４６，４８の開閉支持部４６ｂ，４８ｂとの間にガタがあるので、また、装置本体４２の摺動孔５０，５２とヒンジ４６，４８の摺動部４６ａ，４８ａとの間にガタがあるので、原稿カバー１３を閉じる際に、これらのガタにより、原稿カバー１３が、軸部１３ａ，１３ｂの廻りの回転移動以外に、原稿カバー１３がガタの分、前後・左右方向に動いてしまう。
【００４３】
位置決めピン５４，５６とピン孔５８，６０とがないと、これらのガタにより、原稿カバー１３が閉じるときに、この前後・左右方向の動きにより、原稿ガラス１６上に載置した原稿をずらしてしまう。よって、位置決めピン５４，５６とピン孔５８，６０とにより、原稿カバー１３を位置決めすることにより、原稿のずれを防止できる。
【００４４】
２組の位置決めピン５４，５６とピン孔５８，６０とはヒンジ４６，４８の近傍に設けているので、原稿ガラス１６よりも大きな原稿を読み取る際、原稿ガラス１６の左右方向及び前側にはみ出すように、原稿を原稿ガラス１６に載置すれば、原稿を２組の位置決めピン５４，５６とピン孔５８，６０との間に挟み込むことなく載置できる。従って、２組の位置決めピン５４，５６とピン孔５８，６０とを設けても、大きな原稿を２組の位置決めピン５４，５６とピン孔５８，６０とにより挟み込んで穴を空けたりすることなく、読み取ることができる。
【００４５】
原稿が厚い本のようなものである場合、原稿を原稿ガラス１６上に載置して、原稿カバー１３により覆う際、ヒンジ４６，４８の摺動部４６ａ，４８ａが、装置本体４２の摺動孔５０，５２内を摺動する。これにより、原稿カバー１３は原稿ガラス１６と平行を保った状態で、原稿カバー１３は原稿ガラス１６との間の間隔を空けることができる。従って、原稿が厚い本のような場合でも、画像を読み取ることができる。尚、その際、位置決めピン５４，５６とピン孔５８，６０とは嵌合しない。
【００４６】
原稿カバー１３を閉じた後、操作パネル部１４でのキー操作により読取動作を指示すると、密着型イメージセンサ１７が原稿ガラス１６の下方を、ガイドシャフト３８に沿って移動して、原稿から画像を読み取る。
【００４７】
原稿を複写する場合には、給紙カセット３からの記録紙Ｐを給紙ローラ６ｂと傾斜分離板８の弾性分離パッドとにより、記録紙Ｐを１枚ずつ分離搬送する。記録紙Ｐは、給送路９を介して記録部７に給送され、読み取った画像データに応じて、記録ヘッド４からインクが吐出され、記録紙Ｐに画像を記録する。記録部７を経た記録紙Ｐは排紙方向に沿って排紙部１０に搬送される。
【００４８】
前述した画像読取装置１２は、原稿ガラス１６上に載置された原稿から画像を読み取るフラットベッド機構のものである。次に、フラットベッド機構と、原稿を自動的に移動させて画像を読み取る自動給紙機構との両方を備えた画像読取装置に、前述した位置決めピンとピン孔とを適用する場合について説明する。
【００４９】
図１０は第２実施形態としてのフラットベッド機構と自動給紙機構とを備えた画像読取装置６２を備えた複合機６１の外観を表す斜視図である。尚、前述した実施形態と同じ部材については同一番号を付して、詳細な説明を省略する。以下同様。
【００５０】
この複合機６１は、前述した複合機１と同様、ハウジング２の上部に、原稿の読み取りに用いられる画像読取装置６２が設けられている。画像読取装置６２は、複合機１のハウジング２に取り付けられている。また、この画像読取装置６２の上面を覆う原稿カバー６３が、その後端を中心に開閉可能な状態で設けられている。
【００５１】
図１１は本第２実施形態の複合機６１から取り外した画像読取装置６２の外観を表す斜視図であり、図１２は本第２実施形態の原稿カバー６３を開いた状態の画像読取装置６２の外観を表す斜視図である。図１３は本第２実施形態の画像読取装置６２の要部分解斜視図である。
【００５２】
図１１、図１２に示すように、画像読取装置６２は、装置本体４２の上面開口部が水平な第１原稿ガラス６６によって覆われている。第１原稿ガラス６６上には、読み込むべき原稿が載置されるが、第１原稿ガラス６６の原稿載置領域はほぼ長方形に形成され、原稿カバー６３の裏面には、原稿読取時に第１原稿ガラス６６の原稿載置領域を覆う矩形の原稿押さえスポンジ４４が接着によって取り付けられている。
【００５３】
第１原稿ガラス６６は、フラットベッド機構により原稿を読み取る際に利用され、前述した実施形態の画像読取装置１２と同様、本第２実施形態の画像読取装置６２は、第１原稿ガラス６６上に載置された原稿を第１原稿ガラス６６の下側を通る密着型イメージセンサ１７により読み取る。
【００５４】
第１原稿ガラス６６と並んで、装置本体４２の上面開口部には第２原稿ガラス６８が設けられている。第２原稿ガラス６８は第１原稿ガラス６６の左側に設けられ、第１原稿ガラス６６よりも左右方向の幅が小さい長方形状のものである。第１原稿ガラス６６と第２原稿ガラス６８とは同一平面上に配置されている。
【００５５】
第２原稿ガラス６８の下側には、前述した原稿読み取り用の密着型イメージセンサ１７が設けられ、密着型イメージセンサ１７は第２原稿ガラス６８の下側から、第１原稿ガラス６６の下側を通って、ガイドシャフト３８に沿って往復移動可能に設けられている。
【００５６】
図１３に示すように、原稿カバー６３と装置本体４２との後側には左右一対のヒンジ４７，４８が設けられており、一対のヒンジ４７，４８は、それぞれ摺動部４７ａ，４８ａと開閉支持部４７ｂ，４８ｂとを備えている。右側のヒンジ４８は前述した実施形態と同じものであり、左側のヒンジ４７には、更に、ケーブルクランプ部４７ｄが一体に形成されている点で異なる。
【００５７】
前述した実施形態と同様、摺動部４７ａ，４８ａは装置本体４２の図示しない摺動孔に摺動可能に挿入され、摺動部４７ａ，４８ａが原稿ガラス１６とほぼ直交方向に所定量のストロークで摺動できるように構成されている。開閉支持部４７ｂ，４８ｂは、原稿カバー６３の後端側に設けられた一対の軸部６３ａ，６３ｂに回転可能に嵌着されている。
【００５８】
本第２実施形態では、原稿カバー６３に自動給紙機構７０が設けられており、自動給紙機構７０は、図１１に示すように、原稿カバー６３の上面に設けられた原稿給紙トレイ７２と原稿排紙トレイ７４とを備えている。自動給紙機構７０は原稿給紙トレイ７２上に載置された原稿を、軸方向が原稿搬送方向と直交して配置された搬送ローラ７５等を回転駆動して、原稿を原稿給紙トレイ７２から第２原稿ガラス６８上を通過させる。
【００５９】
第２原稿ガラス６８上を通過した原稿は、装置本体４２に形成された複数の跳ね上げ突起７６により原稿の先端が上方に跳ね上げられて、再び原稿カバー６３の自動給紙機構７０に導かれて、原稿排紙トレイ７４へと搬送される。跳ね上げ突起７６は、原稿を跳ね上げるために、第２原稿ガラス６８よりも上方に突出している。
【００６０】
第２原稿ガラス６８は、自動給紙機構７０により原稿を読み取る際に利用され、自動給紙機構７０を利用して原稿を読み取る際には、原稿給紙トレイ７２上に原稿を載置し、自動給紙機構７０を作動させて原稿を原稿給紙トレイ７２から原稿排紙トレイ７４へと搬送し、密着型イメージセンサ１７を第２原稿ガラス６８の下方で静止させたまま、第２原稿ガラス６８の上を通過する原稿から画像を読み取る。
【００６１】
図１４は、本第２実施形態の画像読取装置６２から原稿カバー６３を取り外した状態の拡大平面図であり、図１５は原稿カバー６３をも含んだ図１４のＣＣ断面図である。
図１２〜図１５に示すように、原稿カバー６３と装置本体４２とには、２組の位置決めピン７８，８２とピン孔８０，８４とが設けられており、２組の位置決めピン７８，８２とピン孔８０，８４とは自動給紙機構７０の搬送ローラ７５の軸方向の両外側にそれぞれ１組ずつ設けられている。また、一方の１組の位置決めピン７８とピン孔８０とは、左側のヒンジ４７の近傍に設けられ、他方の１組の位置決めピン８２とピン孔８４とは、搬送ローラ７５を間にして、軸方向の反対側に設けられると共に、跳ね上げ突起７６の近傍で、第２原稿ガラス６８よりも外側に設けられている。２組の位置決めピン７８，８２とピン孔８０，８４とは、第１原稿ガラス６６からできるだけ離れた位置に設けるのが好ましい。
【００６２】
左側のヒンジ４７の近傍の位置決めピン７８とピン孔８０とは、本実施形態では、位置決めピン７８が原稿カバー６３に設けられ、ピン孔８０が装置本体４２に設けられている。尚、ピン孔８０を原稿カバー６３に設け、位置決めピン７８を装置本体４２に設けてもよい。
【００６３】
左側のヒンジ４７の近傍の１組の位置決めピン７８とピン孔８０とは、位置決めピン７８が、円柱状に形成されており、ピン孔８０は、断面形状が円形に、位置決めピン７８を挿入可能に形成されている。また、原稿カバー６３により第１原稿ガラス６６を覆った閉じた状態のときに、位置決めピン７８がピン孔８０に挿入・嵌合されるように形成されている。ピン孔８０は、第１原稿ガラス６６と直交方向に装置本体４２に形成されている。尚、ピン孔８０の開口側はテーパ状に形成されて、位置決めピン７８の挿入時のガイドをするように構成されている。
【００６４】
他方の１組の位置決めピン８２とピン孔８４とは、本実施形態では、位置決めピン８２が原稿カバー６３に取り付けられた自動給紙機構７０のケース７１に設けられ、ピン孔８４が装置本体４２に設けられている。尚、ピン孔８４をケース７１に設け、位置決めピン８２を装置本体４２に設けてもよい。
【００６５】
位置決めピン８２は、他方の位置決めピン７８と同様、円柱状に形成されており、ピン孔８４は、断面形状が長孔（半円の円弧同士を直線で結んだ形状の孔）形状に形成されており、本実施形態では、原稿カバー６３の軸部６３ａ，６３ｂの軸方向（左右方向）と直交する方向に沿って長く形成されている。
【００６６】
ピン孔８４は第１原稿ガラス６６と直交方向に装置本体４２に穿設されている。ピン孔８４は、位置決めピン８２を挿入可能に形成されており、原稿カバー６３により第１原稿ガラス６６を覆った閉じた状態のときに、位置決めピン８２がピン孔８４に挿入・嵌合されるように形成されている。
【００６７】
また、嵌合した際に、位置決めピン８２とピン孔８４との間の左右方向のガタはできるだけ小さくなるように形成される。尚、ピン孔８４の開口側はテーパ状に形成されて、位置決めピン８２の挿入時のガイドをするように構成されている。
【００６８】
次に、前述した本第２実施形態の画像読取装置６２の作動について説明する。
まず、フラットベッド機構により原稿を読み取る際には、原稿カバー６３を軸部６３ａ，６３ｂの廻りに回転させて、図１２に示すように、原稿カバー６３を開いた状態にする。そして、第１原稿ガラス６６上に原稿を載せてから、原稿カバー６３を軸部６３ａ，６３ｂの廻りに回転させて、第１原稿ガラス６６を原稿カバー６３で覆って、閉じた状態にする。
【００６９】
閉じる際には、原稿カバー６３が軸部６３ａ，６３ｂの廻りに回転して、第１原稿ガラス６６を原稿カバー６３で覆うと、左側のヒンジ４７の近傍の位置決めピン７８はピン孔８０に挿入・嵌合され、また、搬送ローラ７５の軸方向反対側の位置決めピン８２はピン孔８４に挿入・嵌合される。
【００７０】
左側のヒンジ４７のピン孔８０は、円形の孔であるので、位置決めピン７８がピン孔８０に挿入されることにより、位置決めピン７８の前後、左右方向の位置が決まる。また、他方のピン孔８４は長孔であるので、位置決めピン８２がピン孔８４に挿入されると、位置決めピン７８を中心とする原稿カバー６３の回転方向の位置が決められて、原稿カバー６３の位置が決められる。原稿カバー６３を開閉する都度に、２組の位置決めピン７８，８２とピン孔８０，８４とにより、原稿カバー６３と装置本体４２とが毎回同じ位置関係で位置決めされる。
【００７１】
よって、装置本体４２と原稿カバー６３との位置関係がずれることがなく、原稿カバー６３がずれることにより、外観が損なわれることがなく、デザイン上も好ましい。また、原稿カバー６３を閉じる際に、第１原稿ガラス６６上に載置した原稿がずれてしまうのを防止でき、画像が斜めに読み取られてしまうことがない。
【００７２】
即ち、原稿カバー６３の軸部６３ａ，６３ｂとヒンジ４７，４８の開閉支持部４７ｂ，４８ｂとの間にガタがあるので、また、装置本体４２とヒンジ４７，４８の摺動部４７ａ，４８ａとの間にガタがあるので、原稿カバー６３を閉じる際に、これらのガタにより、原稿カバー６３が、軸部６３ａ，６３ｂの廻りの回転移動以外に、原稿カバー６３がガタの分、前後・左右方向に動いてしまう。
【００７３】
位置決めピン７８，８２とピン孔８０，８４とがないと、これらのガタにより、原稿カバー６３が閉じるときに、この前後・左右方向の動きにより、原稿ガラス６６上に載置した原稿をずらしてしまう。よって、位置決めピン７８，８２とピン孔８０，８４とにより、原稿カバー６３を位置決めすることにより、原稿のずれを防止できる。
【００７４】
原稿が厚い本のようなものである場合、前述したと同様、原稿カバー６３により覆う際、ヒンジ４７，４８の摺動部４７ａ，４８ａが摺動して、原稿カバー６３は第１原稿ガラス６６と平行を保った状態で、原稿カバー６３は原稿ガラス６６との間の間隔を空けることができる。従って、原稿が厚い本のような場合でも、画像を読み取ることができる。尚、その際、位置決めピン７８，８２とピン孔８０，８４とは嵌合しない。
【００７５】
一方、自動給紙機構７０により原稿を読み取る際には、原稿カバー６３を軸部６３ａ，６３ｂの廻りに回転させて、第１原稿ガラス６６及び第２原稿ガラス６８を原稿カバー６３
で覆って、閉じた状態にする。
【００７６】
閉じる際には、左側のヒンジ４７の近傍の位置決めピン７８はピン孔８０に挿入・嵌合され、また、搬送ローラ７５の軸方向反対側の位置決めピン８２はピン孔８４に挿入・嵌合される。これにより、前述したと同様、原稿カバー６３を開閉する都度に、２組の位置決めピン７８，８２とピン孔８０，８４とにより、原稿カバー６３と装置本体４２とが同じ位置関係で位置決めされる。
【００７７】
そして、自動給紙機構７０により原稿を搬送すると、自動給紙機構７０は原稿給紙トレイ７２上に載置された原稿を、搬送ローラ７５等を回転駆動して、原稿を原稿給紙トレイ７２から第２原稿ガラス６８上を通過させる。第２原稿ガラス６８上を通過した原稿は、跳ね上げ突起７６により原稿の先端が上方に跳ね上げられて、原稿排紙トレイ７４へと搬送される。密着型イメージセンサ１７は第２原稿ガラス６８の下方で静止したまま、第２原稿ガラス６８の上を通過する原稿から画像を読み取る。
【００７８】
２組の位置決めピン７８，８２とピン孔８０，８４とにより、原稿カバー６３と装置本体４２とが同じ位置関係で位置決めされるので、搬送ローラ７５の軸方向も密着型イメージセンサ１７と同じ位置関係で位置決めされる。従って、搬送ローラ７５により搬送される原稿は、毎回同じ方向に搬送され、原稿が搬送される方向がぶれるのを防止できる。これにより、原稿を斜めに読み取ったりするのを防止でき、また、原稿の搬送不良の発生を抑制できる。
【００７９】
しかも、２組の位置決めピン７８，８２とピン孔８０，８４とは、左側の第２原稿ガラス６８側に設けられているので、第１原稿ガラス６６よりも大きな原稿を、フラットベッド機構により読み取る際、原稿を第１原稿ガラス６６の右側と前側とにはみ出すように載置すれば、原稿を２組の位置決めピン７８，８２とピン孔８０，８４との間に挟み込むことなく載置できる。従って、２組の位置決めピン７８，８２とピン孔８０，８４とを設けても、大きな原稿を２組の位置決めピン７８，８２とピン孔８０，８４とにより挟み込んで穴を空けたりすることなく、読み取ることができる。
【００８０】
また、跳ね上げ突起７６が第２原稿ガラス６８よりも上方に突き出ているので、２組の位置決めピン７８，８２とピン孔８０，８４とを設けても、これにより、大きな原稿を第１原稿ガラス６６上に載置する際の制限になることはない。
【００８１】
以上本発明はこの様な実施形態に何等限定されるものではなく、本発明の要旨を逸脱しない範囲において種々なる態様で実施し得る。
【図面の簡単な説明】
【００８２】
【図１】本発明の一実施形態としての画像読取装置を用いた複合機の外観を表す斜視図である。
【図２】本実施形態の複合機の側断面図である。
【図３】本実施形態の複合機から取り外した画像読取装置の外観を表す斜視図である。
【図４】本実施形態の原稿カバーを開いた状態の画像読取装置の外観を表す斜視図である。
【図５】本実施形態の画像読取装置の要部分解斜視図である。
【図６】本実施形態の左側のヒンジを含む原稿カバーと装置本体との部分拡大断面図である。
【図７】本実施形態の右側のヒンジを含む原稿カバーと装置本体との部分拡大断面図である。
【図８】図４のＡ部拡大斜視図である。
【図９】図４のＢ部拡大斜視図である。
【図１０】本第２実施形態としてのフラットベッド機構と自動給紙機構とを備えた画像読取装置を備えた複合機の外観を表す斜視図である。
【図１１】本第２実施形態の複合機から取り外した画像読取装置の外観を表す斜視図である。
【図１２】本第２実施形態の原稿カバーを開いた状態の画像読取装置の外観を表す斜視図である。
【図１３】本第２実施形態の画像読取装置の要部分解斜視図である。
【図１４】本第２実施形態の画像読取装置から原稿カバーを取り外した状態の拡大平面図である。
【図１５】本実施形態の原稿カバーをも含んだ図１４のＣＣ断面図である。
【符号の説明】
【００８３】
１，６１…複合機 ２…ハウジング
３…給紙カセット ４…記録ヘッド
１２，６２…画像読取装置 １３，６３…原稿カバー
１３ａ，１３ｂ，６３ａ，６３ｂ…軸部
１６…原稿ガラス １７…密着型イメージセンサ
３８…ガイドシャフト ４２…装置本体
４４…スポンジ ４６，４７，４８…ヒンジ
４６ａ，４７ａ，４８ａ…摺動部
４６ｂ，４７ｂ，４８ｂ…開閉支持部
４６ｃ，４８ｃ…フック部 ４７ｄ…ケーブルクランプ部
５０，５２…摺動孔 ５４，５６，７８，８２…位置決めピン
５８，６０，８０，８４…ピン孔
６６…第１原稿ガラス ６８…第２原稿ガラス
７０…自動給紙機構 ７１… ケース
７２…原稿給紙トレイ ７４…原稿排紙トレイ
７５…搬送ローラ ７６…跳ね上げ突起
【図１】
0004673766.tif 000002
【図２】
0004673766.tif 000003
【図３】
0004673766.tif 000004
【図４】
0004673766.tif 000005
【図５】
0004673766.tif 000006
【図６】
0004673766.tif 000007
【図７】
0004673766.tif 000008
【図８】
0004673766.tif 000009
【図９】
0004673766.tif 000010
【図１０】
0004673766.tif 000011
【図１１】
0004673766.tif 000012
【図１２】
0004673766.tif 000013
【図１３】
0004673766.tif 000014
【図１４】
0004673766.tif 000015
【図１５】
0004673766.tif 000016